(57)【特許請求の範囲】
【請求項１】
外部ネットワークと、前記外部ネットワークに直接接続する機能を備えておらず且つデータ放送を受信する受信機とに接続される双方向センタにおいて、認証サーバ通知処理部と、アクセス制限処理部とを有し、前記データ放送に関連する双方向サービスを提供する時間を表す情報を前記双方向サービス毎に格納している双方向番組編成情報データベースと、前記双方向サービスを提供する時間を表す情報と当該双方向サービスを提供するための双方向サーバのアドレスに関する情報とを含む認証双方向サーバテーブルを格納する認証双方向サーバテーブル格納部と、記憶装置とにアクセス可能なコンピュータにより実行される情報処理方法であって、
前記認証サーバ通知処理部により、前記双方向センタの担当者又は広告主から、前記双方向サービスに関連する前記双方向サーバの指定を受け付け、指定された前記双方向サーバのアドレスに関する情報を前記記憶装置に格納するステップと、
前記認証サーバ通知処理部により、前記双方向番組編成情報データベースから、前記双方向センタの担当者又は広告主からの前記指定に係る前記双方向サービスに対応する、前記双方向サービスを提供する時間を表す情報を取得し、取得した前記双方向サービスを提供する時間を表す情報と前記記憶装置に格納される前記双方向サーバのアドレスに関する情報とを含む前記認証双方向サーバテーブルを生成し、前記認証双方向サーバテーブル格納部に格納するステップと、
前記アクセス制限処理部により、前記認証双方向サーバテーブル格納部に格納された前記認証双方向サーバテーブルに含まれる前記双方向サーバのアドレスに関する情報と前記双方向サービスを提供する時間を表す情報とに基づき、前記外部ネットワークに接続される前記双方向サーバに対する前記受信機からのアクセスを許可するか否かを判断するためのアクセス許可情報を生成し、前記記憶装置に格納するステップと、
前記アクセス制限処理部により、前記記憶装置に格納された前記アクセス許可情報を、前記外部ネットワークと前記受信機との間で且つ前記双方向センタ内に設置され、当該アクセス許可情報に基づく前記外部ネットワークに対するアクセス制御を行うルータに通知するステップと、
を含む情報処理方法。
【請求項２】
外部ネットワークと、前記外部ネットワークに直接接続する機能を備えておらず且つデータ放送を受信する受信機とに接続される双方向センタに設置されるコンピュータであって、
前記双方向センタの担当者又は広告主から、前記データ放送に関連する双方向サービスに関連する前記双方向サーバの指定を受け付け、指定された前記双方向サーバのアドレスに関する情報を記憶装置に格納する手段と、
前記双方向サービスを提供する時間を表す情報を前記双方向サービス毎に格納している双方向番組編成情報データベースから、前記双方向センタの担当者又は広告主からの前記指定に係る前記双方向サービスに対応する、前記双方向サービスを提供する時間を表す情報を取得し、取得した前記双方向サービスを提供する時間を表す情報と前記記憶装置に格納される前記双方向サーバのアドレスに関する情報とを含む認証双方向サーバテーブルを生成し、認証双方向サーバテーブル格納部に格納する手段と、
前記認証双方向サーバテーブル格納部に格納された前記認証双方向サーバテーブルに含まれる前記双方向サーバのアドレスに関する情報と前記双方向サービスを提供する時間を表す情報とに基づき、前記外部ネットワークに接続される前記双方向サーバに対する前記受信機からのアクセスを許可するか否かを判断するためのアクセス許可情報を生成し、前記記憶装置に格納する手段と、
前記記憶装置に格納された前記アクセス許可情報を、前記外部ネットワークと前記受信機との間で且つ前記双方向センタ内に設置され、当該アクセス許可情報に基づく前記外部ネットワークに対するアクセス制御を行うルータに通知する手段と、
を有するコンピュータ。
【請求項３】
外部ネットワークと、前記外部ネットワークに直接接続する機能を備えておらず且つデータ放送を受信する受信機とに接続される双方向センタに設置されるコンピュータに、
前記双方向センタの担当者又は広告主から、前記データ放送に関連する双方向サービスに関連する前記双方向サーバの指定を受け付け、指定された前記双方向サーバのアドレスに関する情報を記憶装置に格納するステップと、
前記双方向サービスを提供する時間を表す情報を前記双方向サービス毎に格納している双方向番組編成情報データベースから、前記双方向センタの担当者又は広告主からの前記指定に係る前記双方向サービスに対応する、前記双方向サービスを提供する時間を表す情報を取得し、取得した前記双方向サービスを提供する時間を表す情報と前記記憶装置に格納される前記双方向サーバのアドレスに関する情報とを含む認証双方向サーバテーブルを生成し、認証双方向サーバテーブル格納部に格納するステップと、
前記認証双方向サーバテーブル格納部に格納された前記認証双方向サーバテーブルに含まれる前記双方向サーバのアドレスに関する情報と前記双方向サービスを提供する時間を表す情報とに基づき、前記外部ネットワークに接続される前記双方向サーバに対する前記受信機からのアクセスを許可するか否かを判断するためのアクセス許可情報を生成し、前記記憶装置に格納するステップと、
前記記憶装置に格納された前記アクセス許可情報を、前記外部ネットワークと前記受信機との間で且つ前記双方向センタ内に設置され、当該アクセス許可情報に基づく前記外部ネットワークに対するアクセス制御を行うルータに通知するステップと、
を実行させるためのプログラム。
【発明の詳細な説明】
【０００１】
【発明が属する技術分野】
本発明は、ディジタルデータ放送における双方向サービスの提供技術に関する。
【０００２】
【従来の技術】
現在、放送衛星を用いたディジタル映像による番組放送に加え、データ放送も行われている。データ放送には野球中継時の選手詳細データやクイズ番組に視聴者が参加するためのデータを配信する番組補完型のデータ放送と、天気予報やニュースをデータ放送のみで配信する独立型サービスがある。番組補完型、独立型のいずれも視聴者からのクイズ回答やチケット予約等を受け付ける双方向サービスを含む。ディジタル放送開始当初、双方向サービスはディジタルテレビ・チューナに実装されるＸ．２８手順やＴＴＹ手順インターフェースを用いてサービスが行われる。しかし、ディジタルテレビ・チューナもインターネット接続機能を保持するようになる。これによりインターネット上に多くのディジタル放送用双方向センタ（以下、インターネット型双方向センタと呼ぶ場合もある）が構築されるようになる。これにより、視聴者はディジタルテレビからインターネット上の双方向サービスを利用できるようになる。
【０００３】
【発明が解決しようとする課題】
ところが、視聴者がディジタル放送受信機を操作して双方向サービスを提供するサーバからポータルサイトやリンクの張られたサイトのサーバに接続することにより、視聴者は意識することなく双方向センタによるサービスを抜けて双方向サービスを提供するサーバ以外のウェブ（Ｗｅｂ）サイトのサービスを利用してしまうことがある。また、直接ＵＲＬ（Uniform Resource Locator）を指定できるディジタル放送受信機では、視聴者による操作で双方向サービス以外の一般のＷｅｂサイトにアクセスすることもできる。
【０００４】
双方向サービスの多くはサービス又は時間ごとに広告主が存在している。よって、双方向サービスの提供者側には、できるだけ視聴者を双方向サービスにひきつけておきたいという要求や、双方向サービス提供中であることを視聴者に意識させておきたいという要求がある。
【０００５】
また、視聴者が個別に加入しているＩＳＰ（Internet Service Provider）を介して双方向センタにアクセスしていれば問題は無いが、ＩＳＰを経由せず直接双方向センタのルータにダイヤルアップ接続している場合、この接続料金を広告主が負担する場合が多い。もし、双方向センタ経由で双方向サービスと関連の無いインターネット上のＷｅｂサイトにアクセスできてしまうと、視聴者はインターネットに無料でアクセスできることになり、広告主にとっては接続料金の負担が問題となる。
【０００６】
よって、本発明の目的は、ディジタルデータ放送に関連する正式な双方向サービスを視聴者に意識させるための技術を提供することである。
【０００７】
また、本発明の他の目的は、ディジタルデータ放送に関連する正式な双方向サービスに係る情報を強調して視聴者へ提供するための技術を提供することである。
【０００８】
さらに他の目的は、双方向センタを経由したインターネット接続を制限するための技術を提供することである。
【０００９】
【課題を解決するための手段】
本発明の第１の態様に係る、双方向センタにおける情報処理方法は、データ放送に関連する双方向サービスを提供するための双方向サーバのアドレスに関する情報と当該双方向サービスのサービス時間に関する情報とを取得する取得ステップと、取得ステップにおいて取得された双方向サーバのアドレスに関する情報と双方向サービスのサービス時間に関する情報とを、データ放送を実施する放送局のコンピュータに送信するステップとを含む。
【００１０】
これにより放送局のコンピュータは、データ放送に関連する双方向サービスを視聴者が適切に利用できるようにするための情報を取得でき、データ放送受信機に配信することができるようになる。
【００１１】
なお、本発明の第１の態様において、双方向サーバのアドレスに関する情報と双方向サービスのサービス時間に関する情報とを用いて、外部ネットワークに接続された双方向サーバに対するアクセス許可情報を生成するステップと、外部ネットワークへの接続装置にアクセス許可情報を設定するステップとをさらに含むような構成も可能である。
【００１２】
これにより双方向サーバを踏み台にして例えばインターネットの通常のサイトに出てゆくような行為は制限される。すなわち、ディジタルデータ放送に関連する正式な双方向サービスに係る情報を中心に視聴者へ提供することができるようになる。
【００１３】
また、本発明の第２の態様に係る、放送局における処理方法は、データ放送に関連する双方向サービスを提供する１又は複数の双方向センタのコンピュータから、当該双方向サービスを提供するための双方向サーバのアドレスに関する情報と当該双方向サービスのサービス時間に関する情報とを受信するステップと、受信した双方向サービスを提供するための双方向サーバのアドレスに関する情報及び双方向サービスのサービス時間に関する情報の組から、双方向サービスのサービス時間に関する条件を満たす組を抽出する抽出ステップと、抽出ステップにおいて抽出された組の少なくとも双方向サービスを提供するための双方向サーバのアドレスに関する情報を、データ放送のコンテンツと共に放送する放送ステップとを含む。
【００１４】
例えば抽出ステップ実行時に起動されている双方向サービスの双方向サーバのアドレスに関する情報がデータ放送受信機に配信することにより、データ放送受信機ではデータ放送に関連する双方向サービス提供時に、データ放送に関連する正式な双方向サービスであることを視聴者に意識させることができるようになる。
【００１５】
さらに、本発明の第３の態様に係る、データ放送受信機における情報処理方法は、データ放送のコンテンツと共に、当該データ放送に関連する双方向サービスを提供するための双方向サーバのアドレスに関する情報を受信し、記憶装置に格納する受信ステップと、ユーザからサーバへのアクセス要求を受け付けた場合、当該アクセス要求に係るサーバのアドレスが、記憶装置に格納された双方向サーバのアドレスに関する情報により特定される条件に合致するか判断する判断ステップと、判断ステップにおいて条件を満たすと判断された場合に、データ放送に関連する双方向サービスが実施されていることを表す表示を表示装置に対して実施するステップとを含む。
【００１６】
このようにデータ放送受信機では、双方向センタ及び放送局を経由して得られた双方向サーバのアドレスに関する情報に基づき、視聴者がデータ放送のコンテンツに関連する双方向サービスの提供を受けていることを特に意識するような表示を行うことができるようになる。双方向サービスのサービス提供時間が限定されている場合には、当該サービス提供時間も判断ステップにおける条件とすることも可能である。
【００１７】
なお、本発明の第３の態様において、上で述べた判断ステップにおいてアクセス要求に係るサーバのアドレスが記憶装置に格納された双方向サーバのアドレスに関する情報により特定される条件を満たしていないと判断された場合であってもアクセス要求に係るサーバにアクセス可能な場合には、データ放送に関連する双方向サービスではないことを表す表示形態を採るような構成であってもよい。
【００１８】
例えば視聴者がインターネット経由で双方向サーバ以外のサーバにアクセスしようとした場合であって、この場合にはデータ放送に関連する双方向サービスではないことを表す表示形態を採る。これにより、視聴者にデータ放送に関連する双方向サービスでないことを認識させることにより、逆にデータ放送に関連する双方向サービスの存在を意識させることができるようになる。
【００１９】
本発明の第４の態様に係る、データ放送受信機における情報処理方法は、広告の内容及び識別情報を含むデータ放送のコンテンツ情報を受信するステップと、データ放送のコンテンツ情報に含まれる広告のユーザによる選択に応じて、当該広告の識別情報を広告参照情報格納装置に格納するステップと、データ放送に関連する双方向サービスのユーザによる選択に応じて、広告参照情報格納装置に広告の識別情報が含まれるか否かを判断する判断ステップと、判断ステップにおいて広告参照情報格納装置に広告の識別情報が含まれると判断された場合、双方向サービスの提供のための双方向サーバへのアクセスを許可するステップとを含む。
【００２０】
このようにして例えば商品案内の広告を見た人のみ双方向サービスである通信販売の申込ができるといった総合的なサービスを提供することができ、ディジタルデータ放送に関連する正式な双方向サービスに係る情報が視聴者へ提供されるようになる。
【００２１】
なお、上述の処理方法はコンピュータ・ハードウエアに専用のプログラムをインストールすることによっても実現可能である。この場合、このプログラムは、例えばフレキシブルディスク、ＣＤ−ＲＯＭ、光磁気ディスク、半導体メモリ、ハードディスク等の記憶媒体又は記憶装置に格納される。また、ネットワークなどを介して配布される場合もある。尚、中間的な処理結果はメモリに一時保管される。
【００２２】
【発明の実施の形態】
図１に本発明の一実施の形態に係るシステム概要図を示す。例えばデータ放送に関連する双方向サービスを提供するための双方向センタに設置される双方向センタ・システム１には、公衆回線網８に接続されるルータＡ（１３）と、インターネット２に接続されるルータＢ（１４）と、ルータＡ（１３）及びルータＢ（１４）に接続され且つデータ放送に関連する双方向サービスのための処理を実施する認証双方向サーバＡ（１２）と、ルータＢ（１４）に対する設定情報や放送局システム３に対して送信する認証双方向サーバに関する情報を生成する処理等を行う双方向センタ処理サーバ１１とが含まれる。ルータＢ（１４）はファイアウォールの場合もある。
【００２３】
例えばルータＡ（１３）、ルータＢ（１４）及び認証双方向サーバＡ（１２）のセットは、チャンネルＩＤ（例えばテレビ放送のチャンネルに相当）毎に設けられる。
【００２４】
双方向センタ処理サーバ１１には、放送局システム３に対して認証双方向サーバに関する情報を通知するための認証サーバ通知処理部１８と、ルータＢ（１４）に対してアクセス制限についての設定を行うためのアクセス制限処理部１９と、ディジタル放送受信機から通知される広告参照情報を処理する広告参照情報処理部２０とが含まれる。また、双方向センタ処理サーバ１１は、双方向番組編成情報を格納する双方向番組編成情報データベース（ＤＢ）１６と、放送局システム３に送信するための認証双方向サーバ・テーブル格納部１７と、ディジタル放送受信機から受信した広告参照情報を格納する広告参照情報ＤＢ１５とを管理する。
【００２５】
放送局システム３は、例えば公衆回線網８を介して双方向センタ・システム１に接続されている。なお、インターネット２を介して双方向センタ・システム１に接続する場合もある。放送局システム３は、衛星９にデータを送信するためのアンテナ３４に接続されており、当該アンテナ３４からデータ放送のコンテンツと認証双方向サーバ情報を送信するための処理を実施する認証サーバ放送処理部３１を含む。また、データ放送のコンテンツ情報を格納するデータ放送コンテンツ格納部３２と認証双方向サーバに関する情報を格納する認証双方向サーバＤＢ３３とを管理している。
【００２６】
衛星９は、放送局システム３からデータ放送コンテンツ及び認証双方向サーバ情報を受信して、ディジタル放送受信機に送信する。衛星９については、従来と変わらないので、これ以上説明しない。なお、図１では衛星９を用いた放送を念頭において説明しているが、衛星９を用いない地上波による放送であってもよい。
【００２７】
ディジタル放送受信機Ａ（５）及びディジタル放送受信機Ｂ（６）は、例えばテレビ受像機と一体となっているか、又はテレビ受像機に接続されたセットトップボックスとして、又はコンピュータと一体となって、例えば各家庭に設置される。ディジタル放送受信機Ａ（５）は衛星９からの信号を受信するアンテナ５１に接続されており、認証双方向サーバに接続されている場合にその旨表示するための処理を実施する認証表示処理部５４と、データ放送コンテンツに含まれる広告に対する参照を記録及び送信する広告参照通知部５５と、データ放送コンテンツ格納部５２と、認証双方向サーバＤＢ５３とを含む。なお、ディジタル放送受信機Ａ（５）は、インターネット２に接続する機能は有しておらず、公衆回線網８を介して双方向センタ・システム１にダイヤルアップ接続する機能を有している。
【００２８】
ディジタル放送受信機Ｂ（６）は、ディジタル放送受信機Ａ（５）と同様に、認証表示処理部６４と、広告参照通知部６５と、データ放送コンテンツ格納部６２と、認証双方向サーバＤＢ６３とを含む。なお、ディジタル放送受信機Ｂ（６）は、インターネット２に接続する機能を有している。
【００２９】
インターネット２には、双方向センタ・システム１に含まれる認証双方向サーバＡ（１２）と関連する認証双方向サーバＢ（７）が接続されている。認証双方向サーバＡ（１２）をポータルと呼び、認証双方向サーバＢ（７）を関連サイトと呼ぶ場合もある。インターネット２には、その他多数のサーバが接続しており、様々なサービスが提供されている。図１の例では、認証双方向サーバとは無関係の非認証サーバ４が接続されている。
【００３０】
図１に示したシステム全体の処理概要を説明しておく。双方向センタ・システム１の双方向センタ処理サーバ１１に含まれる認証サーバ通知処理部１８は、双方向番組編成情報ＤＢ１６に格納された番組編成情報と双方向センタ又は広告主が指定する認証双方向サーバの情報（アドレスと双方向サービス提供時間の情報を含む）から認証双方向サーバ・テーブルを作成し、認証双方向サーバ・テーブル格納部１７に格納する。そして、放送局システム３に送信する。放送局システム３の認証サーバ放送処理部３１は、１又は複数の双方向センタ処理サーバ１１から受信した認証双方向サーバ・テーブルを結合し、その時点で双方向サービス提供中の認証双方向サーバについての情報を抽出して認証双方向サーバ情報を生成する。受信された認証双方向サーバ・テーブル及び生成された認証双方向サーバ情報は認証双方向サーバＤＢ３３に格納される。そして、放送局システム３は、データ放送コンテンツ格納部３２に格納されたデータ放送コンテンツと生成された認証双方向サーバ情報をアンテナ３４を用いて衛星９に送信する。
【００３１】
ディジタル放送受信機Ａ（５）は、アンテナ５１を介して衛星９からデータ放送コンテンツと認証双方向サーバ情報を受信すると、データ放送コンテンツをデータ放送コンテンツ格納部５２に、認証双方向サーバ情報を認証双方向サーバＤＢ５３に格納する。そして、ユーザにより認証双方向サーバＡ（１２）へのアクセス指示があった場合には、ディジタル放送受信機Ａ（５）は公衆回線網８を介して双方向センタ・システム１に接続する。そして、ルータＡ（１３）を介して認証双方向サーバＡ（１２）に接続した場合には、認証表示処理部５４は、ディジタル放送受信機Ａ（５）の表示装置に「認証双方向サーバに接続中です」といったメッセージを表示し、認証双方向サーバにアクセスしていることをユーザに認識させる。なお、認証表示処理部５４は、双方向サービス時間中であるか否かを判断して、時間外であれば「サービス時間外です」といったメッセージを表示させる場合もある。
【００３２】
ディジタル放送受信機Ｂ（６）は、アンテナ６１を介して衛星９からデータ放送コンテンツと認証双方向サーバ情報を受信すると、データ放送コンテンツをデータ放送コンテンツ格納部６２に、認証双方向サーバ情報を認証双方向サーバＤＢ６３に格納する。そして、ユーザにより認証双方向サーバＡ（１２）へのアクセス指示があった場合には、ディジタル放送受信機Ｂ（６）はインターネット２を介して双方向センタ・システム１に接続する。そして、ルータＢ（１４）を介して認証双方向サーバＡ（１２）に接続した場合には、認証表示処理部６４は、ディジタル放送受信機Ｂ（６）の表示装置に「認証双方向サーバに接続中です」といったメッセージを表示し、認証双方向サーバにアクセスしていることをユーザに認識させる。なお、認証表示処理部６４は、双方向サービス時間中であるか否かを判断して、時間外であれば「サービス時間外です」といったメッセージを表示させる場合もある。
【００３３】
双方向センタ・システム１の双方向センタ処理サーバ１１内のアクセス制限処理部１９は、認証双方向サーバ・テーブルを用いてルータＢ（１４）にアクセス制限を実施させるためのルータ／ファイアウォール・テーブルを生成し、ルータＢ（１４）に対して設定を行う。
【００３４】
この設定に従って、ディジタル放送受信機Ａ（５）が認証双方向サーバＡ（１２）からインターネット２に接続された認証双方向サーバＢ（７）にアクセスする場合には、ルータＢ（１４）はアクセスを許可する。なお、ルータＢ（１４）は、双方向サービス時間外である場合には、アクセスを拒否する場合もある。一方、ディジタル放送受信機Ａ（５）が認証双方向サーバＡ（１２）からインターネット２に接続された非認証サーバ４にアクセスする場合には、ルータＢ（１４）はアクセスを拒否する。なお、ディジタル放送受信機Ａ（５）の認証表示処理部５４は、はルータＢ（１４）のアクセス拒否に応じて、その表示装置にアクセス不可を表示させる。従って、認証双方向サーバＢ（７）にはアクセスできるが、認証双方向サーバＡ（１２）を踏み台にインターネットを利用することはできなくなる。
【００３５】
一方、ディジタル放送受信機Ｂ（６）は、インターネット２を介して双方向センタ・システム１に接続するので、インターネット２に接続している認証双方向サーバＢ（７）にも非認証サーバ４にもアクセスすることはできる。しかし、ディジタル放送受信機Ｂ（６）の認証表示処理部６４は、認証双方向サーバＤＢ６３を参照して、認証双方向サーバＢ（７）にアクセスしている場合には、「認証双方向サーバに接続中です」といったメッセージを表示し、非認証サーバ４にアクセスしている場合にはそのようなメッセージを表示しない。
【００３６】
また、データ放送コンテンツには、例えばバナー広告の情報及び広告内容情報が含まれており、他のコンテンツ情報と共にディジタル放送受信機Ａ（５）のデータ放送コンテンツ格納部５２に格納される。ユーザがバナー広告を選択した場合には、広告参照通知部５５はユーザが広告を参照したという記録を行う。すなわち、ユーザが参照した広告ＩＤを広告参照テーブルに保管しておく。そして、ユーザにより認証双方向サーバへのアクセスが指示された場合には、当該広告参照テーブルの内容を、双方向センタ・システム１の双方向センタ処理サーバ１１に送信する。なお、広告参照通知部５５は、広告参照を行っていない場合には、認証双方向サーバへのアクセスを禁止する場合もある。双方向センタ処理サーバ１１の広告参照情報処理部２０は受信した広告参照テーブルを広告参照情報ＤＢ１５に格納する。このように、広告参照情報を取得することにより、後のマーケッティング活動に利用することができるようになる。また、広告ＩＤをデータ放送コンテンツ毎、時間毎に変更することにより、いずれのコンテンツから広告を参照するようになったのかといった解析も行うことができる。
【００３７】
次に図２乃至図１８を用いて、詳細な処理フローを説明する。まず図２を用いて、双方向センタ処理サーバ１１の認証サーバ通知処理部１８の処理フローを説明する。まず、双方向番組編成情報であるサービスＩＤ、放送年月日、放送開始時刻、放送終了時刻、素材ＩＤ、放送番組名、放送番組（かな表記）、双方向サービス名、双方向アプリケーション開始時刻、双方向アプリケーション終了時刻、双方向アプリケーションＩＤ等を取得して、双方向番組編成情報ＤＢ１６に入力する（ステップＳ１）。双方向センタのオペレータがキーボードを操作して入力した情報を双方向番組編成情報ＤＢ１６に入力する場合もあれば、放送局システム３等において生成された双方向番組編成情報を取得する場合もある。
【００３８】
双方向番組編成情報に含まれる番組編成情報テーブルの一例を図３に、双方向アプリケーション一覧テーブルの一例を図４にそれぞれ示す。図３に示された番組編成情報テーブルには、チャンネル番号に相当するサービスＩＤ、放送年月日、放送開始時刻、放送終了時刻、ＢＭＬ（Broadcast Markup Language）で記述されたコンテンツ情報のＩＤである素材ＩＤ、放送番組名、双方向サービスの名称である双方向サービス名、双方向サービスを提供する双方向アプリケーションの開始時刻（双方向アプリケーション開始時刻）、及び終了時刻（双方向アプリケーション終了時刻）が含まれる。また、図４に示された双方向アプリケーション一覧テーブルには、コンテンツ情報のＩＤである素材ＩＤ、双方向サービスの名称である双方向サービス名、例えば双方向サービスのＣＧＩ（Common Gateway Interface）のＵＲＬである双方向アプリケーションＩＤが含まれる。
【００３９】
次に、認証サーバ通知処理部１８は、双方向番組編成情報ＤＢ１６に格納された情報から認証双方向サーバ・テーブルを生成し、生成した認証双方向サーバ・テーブルを認証双方向サーバ・テーブル格納部１７に格納する（ステップＳ３）。認証双方向サーバ・テーブルの一例を図５に示す。図５に示すように認証双方向サーバ・テーブルは、サービスＩＤ毎に生成され、この例ではチャンネル−１のテーブル（図５（ａ））、チャンネル−２のテーブル（図５（ｂ））、チャンネル−３のテーブル（図５（ｃ））、チャンネル−Ｎのテーブル（図５（ｄ））が設けられている。各テーブルには、チャンネル番号に相当するサービスＩＤ、例えば双方向サービスのＣＧＩのＵＲＬである双方向アプリケーションＩＤ、双方向アプリケーション開始時刻、双方向アプリケーション終了時刻が含まれる。
【００４０】
そして、もし双方向センタの担当者又は広告主の指定する認証双方向サーバの情報があれば、当該認証双方向サーバの情報を受け取り、認証双方向サーバ・テーブルに追加する（ステップＳ５）。双方向番組編成情報には含まれないが、関連を有する双方向サービスを提供する認証双方向サーバの情報を追加するためのステップである。そして、認証サーバ通知処理手段１８は、認証双方向サーバ・テーブル格納部１７に格納された認証双方向サーバ・テーブルの情報を放送局システム３に例えば公衆回線網８を介して送信する（ステップＳ７）。なお、放送局システム３もインターネット２に接続されている場合には、認証双方向サーバ・テーブルの情報をインターネット２を介して送信するようにしても良い。
【００４１】
次に、双方向センタ・システム１から認証双方向サーバ・テーブルの情報を受信した放送局システム３の処理を図６を用いて説明する。放送局システム３に含まれる認証サーバ放送処理部３１は、双方向センタ・システム１の双方向センタ処理サーバ１１に含まれる認証サーバ通知処理部１８から、認証双方向サーバ・テーブルの情報を受信し、認証双方向サーバＤＢ３３に格納する（ステップＳ１１）。なお、双方向センタが複数設けられた場合には、それぞれの双方向センタ・システム１から認証双方向サーバ・テーブルを受信する。
【００４２】
そして、認証双方向サーバ・テーブルを全てのチャンネル（サービスＩＤ）分結合し、双方向サービス提供中のものを抽出して認証双方向サーバ情報を生成し、認証双方向サーバＤＢ３３に格納する（ステップＳ１３）。図５に示したように、認証双方向サーバ・テーブルはチャンネル（サービスＩＤ）毎に生成される。また、双方向センタが複数あれば、また複数の認証双方向サーバ・テーブルを受信する。さらに、認証双方向サーバ・テーブルには、まだ起動されていないような双方向アプリケーションの情報についても含まれている。よって、全ての認証双方向サーバ・テーブルを結合し、例えばこのステップ実施時点において双方向サービス提供中の双方向アプリケーションを抽出し、認証双方向サーバ情報を生成する。
【００４３】
認証双方向サーバ情報の一例を図７に示す。図７の例では、双方向アプリケーションのＩＤが３乃至８の双方向サービスのみ提供中であり、サービスＩＤ、双方向アプリケーションＩＤ、双方向アプリケーション開始時刻、双方向アプリケーション終了時刻の情報が含まれる。
【００４４】
そして、データ放送コンテンツ格納部３２に格納された通常のデータ放送コンテンツに認証双方向サーバ情報を付加して放送するための処理を実施する（ステップＳ１５）。なお、ステップＳ１５は認証サーバ放送処理部３１と放送局システム３に含まれる他の放送機器との協働にて実施され、データ放送コンテンツ及び認証双方向サーバ情報をアンテナ３４から衛星９に送信する。
【００４５】
衛星９はアンテナ３４から受信したデータ放送コンテンツ及び認証双方向サーバ情報を所定の範囲の地上のアンテナに配信する。
【００４６】
図８を用いてデータ放送を受信したディジタル放送受信機Ａ（５）の処理フローを説明する。ディジタル放送受信機Ａ（５）は、データ放送を衛星９から受信し、データ放送コンテンツについてはデータ放送コンテンツ格納部５２に格納し、認証双方向サーバ情報については認証双方向サーバ情報ＤＢ５３に格納する（ステップＳ２１）。なお、データ放送コンテンツにはバナー広告及びその広告の内容についての情報も含まれる。そして、認証表示処理部５４は、処理しやすいように、受信した認証双方向サーバ情報をサービスＩＤ毎に分割し、チャンネル別認証サーバ・テーブル生成する（ステップＳ２３）。
【００４７】
チャンネル別認証サーバ・テーブルの一例を図９（ａ）及び（ｂ）に示す。図９（ａ）はサービスＩＤがチャンネル−２についてのテーブルであり、図９（ｂ）はサービスＩＤがチャンネル−３についてのテーブルである。各チャンネル別認証サーバ・テーブルは、サービスＩＤ、双方向アプリケーションＩＤ、双方向アプリケーション開始時刻、双方向アプリケーション終了時刻の情報を含む。
【００４８】
そして、ディジタル放送受信機Ａ（５）のユーザの操作によりデータ放送を再生する（ステップＳ２５）。そして、ユーザによりデータ放送コンテンツ中のバナー広告が選択された場合、広告参照通知部５５は、バナー広告のバナーＩＤを広告参照テーブルに追加する（ステップＳ２７）。なお、広告参照テーブルは、ディジタル放送受信機Ａ（５）の記憶装置に設けられ、バナーＩＤを列挙したテーブルである。参照時刻の情報もバナーＩＤと共に追加される。そして、ユーザによる双方向サービス・ボタンの押下又はリンクコマンドの入力の受付を行ったとする（ステップＳ２９）。双方向サービス・ボタンは、双方向サービスを要求するためのボタンであり、リンクコマンドの入力とは、例えばリンクが埋め込まれた部分をクリックする又はリンク先のアドレスを入力するといった操作である。
【００４９】
もし、双方向サービス・ボタンの押下が行われた場合（ステップＳ３１：Ｎｏルート）、ステップＳ３９に移行する。一方、リンクコマンドの入力が受付けられた場合（ステップＳ３１：Ｙｅｓルート）には、認証表示処理部５４はチャンネル別認証双方向サーバ情報を参照する（ステップＳ３３）。そして、リンク先が、現在のチャンネルのチャンネル別認証サーバ・テーブルにおいて指定されている認証双方向サーバであるかを判断する（ステップＳ３５）。もし、リンク先が認証双方向サーバでなければ、認証表示処理部５４はディジタル受信機Ａ（５）の表示装置に接続不可を表示させる（ステップＳ４９）。なお、実際にアクセスを拒否するのはルータＢ（１４）であり、そのための処理フローについては後に詳述する。なお、アクセスできないのでステップＳ２５に戻る。
【００５０】
一方、リンク先が認証双方向サーバであれば、現時刻が、現在のチャンネルのチャンネル別認証サーバ・テーブルにおいて規定されている双方向サービス提供時間内であるかを判断する（ステップＳ３７）。双方向サービス提供時間内でなければ、認証表示処理部５４は、双方向サービス提供時間外である旨のメッセージをディジタル受信機Ａ（５）の表示装置に表示する（ステップＳ５１）。なお、インターネット２上の認証双方向サーバＢ（７）に対してアクセスした場合に、実際にアクセスを拒否するのはルータＢ（１４）である。但し、認証双方向サーバＡ（１２）にアクセスした場合には、当該サービスが起動されていなければ、認証双方向サーバＡ（１２）によりアクセスが拒否される。その後アクセスできないのでステップＳ２５に戻る。
【００５１】
もし、双方向サービス提供時間内であれば、広告参照通知部５５は、広告参照テーブルを参照し（ステップＳ３９）、バナー広告参照済みであるかを判断する（ステップＳ４１）。すなわち、事前にバナー広告を選択し且つ広告内容を参照しているかを確認するものである。もし、ユーザがバナー広告を参照していない、すなわち広告参照テーブルにバナーＩＤが格納されていない場合には、広告参照通知部５５は、ディジタル受信機Ａ（５）の表示装置に双方向サービスが不可能である旨のメッセージを表示し、アクセスを禁止する（ステップＳ５３）。
【００５２】
一方、バナー広告が参照済みである場合には、双方向センタ・システム１に公衆回線網８を介して接続し、広告参照通知部５５は、例えばルータＡ（１３）及びルータＢ（１４）を介して双方向センタ処理サーバ１１に、広告参照テーブルの情報を送信する（ステップＳ４３）。広告参照テーブルの情報を受信して処理するのは、双方向センタ処理サーバ１１の広告参照情報処理部２０である。この処理については後に述べる。
【００５３】
そして、ディジタル放送受信機Ａ（５）は、ルータＡ（１３）を介して例えば認証双方向サーバＡ（１２）又は認証双方向サーバＢ（７）にアクセスする。認証表示処理部５４は、ディジタル受信機Ａ（５）の表示装置に認証双方向サーバにアクセスしている旨のメッセージを表示する（ステップＳ３９）。例えば、図１０のような表示がなされる。図１０の例では旅行案内の地名を選択する部分１０００と、認証双方向サーバＡ（１２）等にアクセスしているので認証された双方向サービスが提供中である旨表示する部分１００２とが含まれる。なお、認証双方向サーバＡ（１２）だけでなく、ルータＢ（１４）を介して認証双方向サーバＢ（７）にアクセスしているときでも、例えば「双方向サービス中です」といった表示を行う。そして、認証双方向サーバにより双方向サービスの提供が行われる（ステップＳ４７）。
【００５４】
このようにユーザには認証双方向サーバＡ（１２）又は認証双方向サーバＢ（７）にアクセスしている間は、「双方向サービス中です」といった表示がなされ、ユーザは、放送局により認証された双方向サーバによる双方向サービスを利用していることを意識するようになる。一方、認証双方向サーバでないサーバにアクセスしたり、双方向サービス提供時間外である場合（タイムシフトしてデータ放送コンテンツなどを再生させている場合）には、このような表示はなされない。また、ルータＢ（１４）の作用によりアクセスも禁止される。
【００５５】
また、データ放送コンテンツに含まれる広告を参照しなければ双方向サービスを受けることができないので、広告主は確実に広告宣伝効果を得ることができる。さらに、双方向センタはディジタル受信機Ａ（５）から広告参照テーブルを受信することができるため、マーケッティングに利用することができるようになる。
【００５６】
次に図１１を用いてデータ放送を受信したディジタル放送受信機Ｂ（６）の処理フローを説明する。ディジタル放送受信機Ｂ（６）は、データ放送を衛星９から受信し、データ放送コンテンツについてはデータ放送コンテンツ格納部６２に格納し、認証双方向サーバ情報については認証双方向サーバ情報ＤＢ６３に格納する（ステップＳ６１）。なお、データ放送コンテンツにはバナー広告及びその広告の内容についての情報も含まれる。そして、認証表示処理部６４は、処理しやすいように、受信した認証双方向サーバ情報をサービスＩＤ毎に分割し、チャンネル別認証サーバ・テーブル生成する（ステップＳ６３）。
【００５７】
そして、ディジタル放送受信機Ｂ（６）のユーザの操作によりデータ放送を再生する（ステップＳ６５）。そして、ユーザによりデータ放送コンテンツ中のバナー広告が選択された場合、広告参照通知部６５は、バナー広告のバナーＩＤを広告参照テーブルに追加する（ステップＳ６７）。なお、参照時刻の情報もバナーＩＤと共に追加される。そして、ユーザによる双方向サービス・ボタンの押下又はリンクコマンドの入力の受付を行ったとする（ステップＳ６９）。
【００５８】
もし、双方向サービス・ボタンの押下が行われた場合（ステップＳ７１：Ｎｏルート）、ステップＳ７９に移行する。一方、リンクコマンドの入力が受付けられた場合（ステップＳ７１：Ｙｅｓルート）には、認証表示処理部６４はチャンネル別認証双方向サーバ情報を参照する（ステップＳ７３）。そして、リンク先が、現在のチャンネルのチャンネル別認証サーバ・テーブルにおいて指定されている認証双方向サーバであるかを判断する（ステップＳ７５）。もし、リンク先が認証双方向サーバでなければ、認証表示処理部６４はディジタル受信機Ｂ（６）の表示装置に認証双方向サーバである旨のメッセージを表示させない（ステップＳ８９）。但し、ディジタル受信機Ｂ（６）は、インターネット２を介してアクセスすることはできる。すなわち、インターネット２を介して非認証サーバ４にアクセスする。
【００５９】
この時例えば図１２のような表示がなされる。図１２では図１０と同じコンテンツ（旅行案内）であるが、提供元は非認証サーバ４であるとする。この場合、図１０においては旅行案内の地名を選択する部分１０００の下に、認証双方向サーバにアクセスしていることを表す「双方向サービス中です」というメッセージ１００２が表示されていたが、図１２においては旅行案内の地名を選択する部分１２００の下には何も表示されない。
【００６０】
一方、リンク先が認証双方向サーバであれば、現時刻が、現在のチャンネルのチャンネル別認証サーバ・テーブルにおいて規定されている双方向サービス提供時間内であるかを判断する（ステップＳ７７）。双方向サービス提供時間内でなければ、認証表示処理部６４は、双方向サービス提供時間外である旨のメッセージをディジタル受信機Ｂ（６）の表示装置に表示する（ステップＳ９１）。なお、インターネット２を経由してアクセスしているのでアクセスは可能である。よって、双方向サービスが提供されていれば、例えば図１３に示すような表示が行われる。但し、図１０においては旅行案内の地名を選択する部分１０００の下に、認証双方向サーバにアクセスしていることを表す「双方向サービス中です」というメッセージ１００２が表示されていたが、図１３においては「サービス時間外です」という表示部分１３０２が旅行案内の地名を選択する部分１３００の下に表示される。なお、サービスが提供されていなければ、「サービス時間外です」という表示のみ行われる場合もある。
【００６１】
もし、双方向サービス提供時間内であれば、広告参照通知部６５は、広告参照テーブルを参照し（ステップＳ７９）、バナー広告参照済みであるかを判断する（ステップＳ８１）。すなわち、事前にバナー広告を選択し且つ広告内容を参照しているかを確認するものである。もし、ユーザがバナー広告を参照していない、すなわち広告参照テーブルにバナーＩＤが格納されていない場合には、広告参照通知部６５は、ディジタル受信機Ｂ（６）の表示装置に双方向サービスが不可能である旨のメッセージを表示し、アクセスを禁止する（ステップＳ９３）。そして、ステップＳ６５に戻る。
【００６２】
一方、バナー広告が参照済みである場合には、双方向センタ・システム１にインターネット２を介して接続し、広告参照通知部６５は、例えばルータＢ（１４）を介して双方向センタ処理サーバ１１に、広告参照テーブルの情報を送信する（ステップＳ８３）。広告参照テーブルの情報を受信して処理するのは、双方向センタ処理サーバ１１の広告参照情報処理部２０である。この処理については後に述べる。
【００６３】
そして、ディジタル放送受信機Ｂ（６）は、ルータＢ（１４）を介して認証双方向サーバＡ（１２）にアクセスする。認証表示処理部６４は、ディジタル受信機Ｂ（６）の表示装置に認証双方向サーバにアクセスしている旨のメッセージを表示する（ステップＳ８５）。例えば、図１０のような表示がなされる。なお、認証双方向サーバＡ（１２）だけでなく、認証双方向サーバＢ（７）にアクセスしているときでも、例えば「双方向サービス中です」といった表示を行う。そして、認証双方向サーバにより双方向サービスの提供が行われる（ステップＳ８７）。
【００６４】
このようにユーザには認証双方向サーバＡ（１２）又は認証双方向サーバＢ（７）にアクセスしている間は、「双方向サービス中です」といった表示がなされ、放送局により認証された双方向サーバによる双方向サービスを利用していることを意識するようになる。一方、認証双方向サーバでないサーバにアクセスしたり、双方向サービス提供時間外である場合（タイムシフトしてデータ放送コンテンツなどを再生させている場合）には、このような表示はなされない。但し、双方向サービスが提供されていれば、サービスを受けることはできる。
【００６５】
また、データ放送コンテンツに含まれる広告を参照しなければ双方向サービスを受けることができないので、広告主は確実に広告宣伝効果を得ることができる。さらに、双方向センタはディジタル受信機Ｂ（６）から広告参照テーブルを受信することができるため、マーケッティングに利用することができるようになる。
【００６６】
次に、双方向センタ処理サーバ１１のアクセス制限処理部１９の処理フローを図１４を用いて説明する。双方向センタ処理サーバ１１のアクセス制限処理部１９は、認証双方向サーバ・テーブル格納部１７に格納された認証双方向サーバ・テーブルを取得する（ステップＳ１０１）。そして、認証双方向サーバ・テーブルから、双方向アプリケーションＩＤ、双方向アプリケーション開始時刻、双方向アプリケーション終了時刻の情報を抽出し、ＩＰアドレスと共にルータ／ファイアウォール・テーブルを生成する（ステップＳ１０３）。ルータ／ファイアウォール・テーブルは、例えば双方向センタ処理サーバ１１の記憶装置に格納される。
【００６７】
ルータ／ファイアウォール・テーブルの一例を図１５に示す。図１５のルータ／ファイアウォール・テーブルには、双方向センタ・システム１からアクセスを許可する認証双方向サーバのＩＰアドレスと、双方向アプリケーションＩＤと、双方向アプリケーション開始時刻と、双方向アプリケーション終了時刻とが含まれる。
【００６８】
アクセス制限処理部１９は、生成されたルータ／ファイアウォール・テーブルの情報をルータＢ（１４）（又はルータＢ（１４）の代わりのファイアウォール）に登録する（ステップＳ１０５）。
【００６９】
このようにすれば、ルータＢ（１４）は、双方向アプリケーション開始時刻から双方向アプリケーション終了時刻まで指定のＩＰアドレスについてはインターネットへの接続を許可するが、それ以外のＩＰアドレス又は時間では接続を拒否する。
【００７０】
図１６に図１に示したシステムにより実現されるアクセス可否態様を示す。ディジタル放送受信機Ａ（５）は双方向センタ・システム１にダイヤルアップ接続するが、アクセスできるのは、細点線の先に○が記載されている認証双方向サーバＡ（１２）と、認証双方向サーバＢ（７）である。例えばＷｅｂサーバである非認証サーバ４にはアクセスできない。このアクセスを拒否するのはルータＢ（１４）である。一方、ディジタル放送受信機Ｂ（６）がインターネット２に接続した上でアクセスできるのは、太点線の先に○が記載されている認証双方向サーバＡ（１２）と、認証双方向サーバＢ（７）と、例えばＷｅｂサーバである非認証サーバ４である。ルータＢ（１４）は、アクセス方向が逆なのでディジタル放送受信機Ｂ（６）から認証双方向サーバＡ（１２）にアクセスを許可する。
【００７１】
このようなアクセス可否態様を実現し且つ認証双方向サーバへのアクセスを表示させることにより、ディジタルデータ放送に関連する正式な双方向サービスを視聴者に意識させることができる。また、正式な双方向サービスを効果的に視聴者に意識させることにより、視聴者が正式な双方向サービスを使用続けるようになれば、ディジタルデータ放送に関連する正式な双方向サービスに係る情報を中心に視聴者へ提供できるようになる。
【００７２】
次に図１７を用いて、ディジタル放送受信機の広告参照通知部から広告参照テーブルを受信する広告参照情報処理部２０の処理フローを説明する。広告参照情報処理部２０は、１又は複数の広告参照通知部から広告参照テーブルを受信し、広告参照情報ＤＢ１５に格納する（ステップＳ１１１）。そして、所定のタイミングで、広告参照情報ＤＢ１５に格納された広告参照テーブルを取り出して、広告参照情報の解析処理を実施する（ステップＳ１１３）。例えば、バナーＩＤ毎に、参照回数や、参照時間の統計処理を実施する。そして、解析結果を広告主向けに出力する（ステップＳ１１５）。これにて今後のマーケッティング活動につなげることができるようになる。
【００７３】
図８及び図１１では認証表示処理部と広告参照通知部とが連携した処理フローであったが、それぞれが別個に動作することもある。図８の場合には、広告参照通知部５５が行うステップＳ２７、ステップＳ３９、ステップＳ４１、ステップＳ４３を実施しないようなフローも可能である。同様に図１１の場合には、広告参照通知部６５が行うステップＳ６７、ステップＳ７９、ステップＳ８１、ステップＳ８３を実施しないようなフローも可能である。
【００７４】
また認証表示処理部が動作しない又はディジタル放送受信機に設けられていない場合の処理フローを図１８を用いて説明する。例えばディジタル放送受信機Ａ（５）は、データ放送を衛星９から受信し、データ放送コンテンツをデータ放送コンテンツ格納部５２に格納する（ステップＳ１２１）。なお、データ放送コンテンツにはバナー広告及びその広告の内容についての情報も含まれる。
【００７５】
そして、ディジタル放送受信機Ａ（５）のユーザの操作によりデータ放送を再生する（ステップＳ１２３）。そして、ユーザによりデータ放送コンテンツ中のバナー広告が選択された場合、広告参照通知部５５は、バナー広告のバナーＩＤを広告参照テーブルに追加する（ステップＳ１２５）。なお、広告参照テーブルは、ディジタル放送受信機Ａ（５）の記憶装置に設けられ、バナーＩＤを列挙したテーブルである。参照時刻の情報もバナーＩＤと共に追加される。そして、ユーザが双方向サービス・ボタンを押下し、その受付を行ったとする（ステップＳ１２７）。双方向サービス・ボタンは、双方向サービスを要求するためのボタンである。
【００７６】
そうすると広告参照通知部５５は、広告参照テーブルを参照し（ステップＳ１２９）、バナー広告参照済みであるかを判断する（ステップＳ１３１）。すなわち、事前にバナー広告を選択し且つ広告内容を参照しているかを確認するものである。もし、ユーザがバナー広告を参照していない、すなわち広告参照テーブルにバナーＩＤが格納されていない場合には、広告参照通知部５５は、ディジタル受信機Ａ（５）の表示装置に双方向サービスが不可能である旨のメッセージを表示し、アクセスを禁止する（ステップＳ１３７）。
【００７７】
一方、バナー広告が参照済みである場合には、双方向センタ・システム１に公衆回線網８を介して接続し、広告参照通知部５５は、例えばルータＡ（１３）及びルータＢ（１４）を介して双方向センタ処理サーバ１１に、広告参照テーブルの情報を送信する（ステップＳ１３３）。広告参照テーブルの情報を受信して処理するのは、双方向センタ処理サーバ１１の広告参照情報処理部２０である。
【００７８】
そして、ディジタル放送受信機Ａ（５）は、ルータＡ（１３）を介して認証双方向サーバＡ（１２）にアクセスする。そして、認証双方向サーバＡ（１２）等により双方向サービスの提供が行われる（ステップＳ１３５）。
【００７９】
このようにすればデータ放送コンテンツに含まれる広告を参照しなければ双方向サービスを受けることができないので、広告主は確実に広告宣伝効果を得ることができる。さらに、双方向センタはディジタル受信機Ａ（５）から広告参照テーブルを受信することができるため、マーケッティングに利用することができるようになる。なお、商品の広告や注意書きを見なければ双方向サービスである注文を行えないようにすることも可能になる。ユーザも商品購入上必要な情報を見て納得した上で購入することになり、後のトラブルなどを回避できるようになる。
【００８０】
以上述べた実施の形態は本発明の一例であって、これに限定されるものではない。例えば、双方向センタ・システム１の内部構成については図１のような構成でなくとも良い。また、機能モジュール分けも図１のような態様でなくともよい。インターネット２や公衆回線網８（ダイヤルアップ接続）ではなく、他のネットワークを介してディジタル放送受信機が双方向センタ・システム１に接続するような構成であってもよい。
【００８１】
（付記１）
データ放送に関連する双方向サービスを提供するための双方向サーバのアドレスに関する情報と当該双方向サービスのサービス時間に関する情報とを取得する取得ステップと、
前記取得ステップにおいて取得された前記双方向サーバのアドレスに関する情報と前記双方向サービスのサービス時間に関する情報とを、データ放送を実施する放送局のコンピュータに送信するステップと、
を含む、双方向センタにおける情報処理方法。
【００８２】
（付記２）
前記双方向サーバのアドレスに関する情報と前記双方向サービスのサービス時間に関する情報とを用いて、外部ネットワークに接続された双方向サーバに対するアクセス許可情報を生成するステップと、
前記外部ネットワークへの接続装置に前記アクセス許可情報を設定するステップと、
をさらに含む付記１記載の双方向センタにおける情報処理方法。
【００８３】
（付記３）
前記アクセス許可情報が、前記外部ネットワークに接続された双方向サーバのアドレスに関する情報と、アクセスが許可される時間に関する情報とを含む
ことを特徴とする付記２記載の双方向センタにおける情報処理方法。
【００８４】
（付記４）
前記取得ステップが、
双方向番組編成情報から前記双方向サーバのアドレスに関する情報と前記双方向サービスのサービス時間に関する情報とを抽出するステップ
を含む付記１記載の双方向センタにおける情報処理方法。
【００８５】
（付記５）
データ放送に関連する双方向サービスを提供する１又は複数の双方向センタのコンピュータから、当該双方向サービスを提供するための双方向サーバのアドレスに関する情報と当該双方向サービスのサービス時間に関する情報とを受信するステップと、
受信した前記双方向サービスを提供するための双方向サーバのアドレスに関する情報及び前記双方向サービスのサービス時間に関する情報の組から、前記双方向サービスのサービス時間に関する条件を満たす組を抽出する抽出ステップと、
前記抽出ステップにおいて抽出された組の少なくとも前記双方向サービスを提供するための双方向サーバのアドレスに関する情報を、前記データ放送のコンテンツと共に放送する放送ステップと、
を含む放送局における処理方法。
【００８６】
（付記６）
前記双方向サービスのサービス時間に関する条件が、前記抽出ステップ実行時に双方向サービスが起動中であるか否かという条件であることを特徴とする付記５記載の放送局における処理方法。
【００８７】
（付記７）
前記放送ステップにおいて、
前記抽出ステップにおいて抽出された組の前記双方向サービスを提供するための双方向サーバのアドレスに関する情報及び前記双方向サービスのサービス時間に関する情報を、前記データ放送のコンテンツと共に放送する
ことを特徴とする付記５記載の放送局における処理方法。
【００８８】
（付記８）
データ放送のコンテンツと共に、当該データ放送に関連する双方向サービスを提供するための双方向サーバのアドレスに関する情報を受信し、記憶装置に格納する受信ステップと、
ユーザからサーバへのアクセス要求を受け付けた場合、当該アクセス要求に係るサーバのアドレスが、前記記憶装置に格納された前記双方向サーバのアドレスに関する情報により特定される条件に合致するか判断する判断ステップと、
前記判断ステップにおいて条件を満たすと判断された場合に、前記データ放送に関連する双方向サービスが実施されていることを表す表示を表示装置に対して行うステップと、
を含むデータ放送受信機における情報処理方法。
【００８９】
（付記９）
前記受信ステップにおいて、前記双方向サーバのアドレスに関する情報に対応する当該双方向サービスのサービス時間に関する情報をさらに受信して記憶装置に格納し、
前記判断ステップにおいて、前記アクセス要求に係るサーバのアドレス及び前記アクセス要求の時刻が、前記記憶装置に格納された前記双方向サーバのアドレスに関する情報及び前記双方向サービスのサービス時間に関する情報により特定される条件に合致するか判断する
ことを特徴とする付記８記載のデータ放送受信機における情報処理方法。
【００９０】
（付記１０）
前記判断ステップにおいて前記アクセス要求に係るサーバのアドレスが前記記憶装置に格納された前記双方向サーバのアドレスに関する情報により特定される条件を満たしているが、前記アクセス要求の時刻が前記双方向サービスのサービス時間に関する情報により特定される条件を満たしていないと判断された場合には、サービス時間外である旨のメッセージを表示装置に表示するステップ
をさらに含む付記９記載のデータ放送受信機における情報処理方法。
【００９１】
（付記１１）
前記判断ステップにおいて前記アクセス要求に係るサーバのアドレスが前記記憶装置に格納された前記双方向サーバのアドレスに関する情報により特定される条件を満たしていないと判断された場合であっても前記アクセス要求に係るサーバにアクセス可能な場合には、前記データ放送に関連する双方向サービスではないことを表す表示形態を採ることを特徴とする付記８乃至１０のいずれか１つ記載のデータ放送受信機における情報処理方法。
【００９２】
（付記１２）
前記データ放送のコンテンツに含まれる広告の選択に応じて当該広告の識別情報を広告参照情報格納装置に格納するステップ
をさらに含み、
前記判断ステップが、
前記広告参照情報格納装置を参照して、当該広告参照情報格納装置に前記広告の識別情報が含まれているという条件が満たされているか判断するステップ
を含むことを特徴とする付記８乃至１１のいずれか１つ記載のデータ放送受信機における情報処理方法。
【００９３】
（付記１３）
前記判断ステップにおいて条件を満たすと判断された場合に、前記広告参照情報格納装置に格納された情報を双方向センタのコンピュータに送信するステップ
をさらに含むことを特徴とする付記１３記載のデータ放送受信機における情報処理方法。
【００９４】
（付記１４）
前記判断ステップにおいて条件を満たさないと判断された場合に、前記双方向サーバへのアクセスを禁止するステップ
をさらに含むことを特徴とする付記１３又は１４記載のデータ放送受信機における情報処理方法。
【００９５】
（付記１５）
広告の内容及び識別情報を含むデータ放送のコンテンツ情報を受信するステップと、
前記データ放送のコンテンツ情報に含まれる前記広告のユーザによる選択に応じて、当該広告の識別情報を広告参照情報格納装置に格納するステップと、
前記データ放送に関連する双方向サービスのユーザによる選択に応じて、前記広告参照情報格納装置に前記広告の識別情報が含まれるか否かを判断する判断ステップと、
前記判断ステップにおいて前記広告参照情報格納装置に前記広告の識別情報が含まれると判断された場合、前記双方向サービスの提供のための双方向サーバへのアクセスを許可するステップと、
を含むデータ放送受信機における情報処理方法。
【００９６】
（付記１６）
前記判断ステップにおいて前記広告参照情報格納装置に前記広告の識別情報が含まれると判断された場合に、前記広告参照情報格納装置に格納された情報を双方向センタのコンピュータに送信するステップ
をさらに含むことを特徴とする付記１５記載のデータ放送受信機における情報処理方法。
【００９７】
（付記１７）
前記判断ステップにおいて前記広告参照情報格納装置に前記広告の識別情報が含まれると判断されない場合に、前記双方向サーバへのアクセスを禁止するステップ
をさらに含むことを特徴とする付記１５記載のデータ放送受信機における情報処理方法。
【００９８】
（付記１８）
データ放送に関連する双方向サービスを提供するための双方向サーバのアドレスに関する情報と当該双方向サービスのサービス時間に関する情報とを取得する取得ステップと、
前記取得ステップにおいて取得された前記双方向サーバのアドレスに関する情報と前記双方向サービスのサービス時間に関する情報とを、データ放送を実施する放送局のコンピュータに送信するステップと、
をコンピュータに実行させる、双方向センタにおけるコンピュータ用のプログラム。
【００９９】
（付記１９）
データ放送に関連する双方向サービスを提供するための双方向サーバのアドレスに関する情報と当該双方向サービスのサービス時間に関する情報とを取得する取得ステップと、
前記取得ステップにおいて取得された前記双方向サーバのアドレスに関する情報と前記双方向サービスのサービス時間に関する情報とを、データ放送を実施する放送局のコンピュータに送信するステップと、
をコンピュータに実行させる、双方向センタにおけるコンピュータ用のプログラムを格納した記録媒体。
【０１００】
（付記２０）
データ放送に関連する双方向サービスを提供するための双方向サーバのアドレスに関する情報と当該双方向サービスのサービス時間に関する情報とを取得する取得手段と、
前記取得手段が取得した前記双方向サーバのアドレスに関する情報と前記双方向サービスのサービス時間に関する情報とを、データ放送を実施する放送局のコンピュータに送信する手段と、
を有する双方向センタにおけるコンピュータ・システム。
【０１０１】
（付記２１）
データ放送に関連する双方向サービスを提供する１又は複数の双方向センタのコンピュータから、当該双方向サービスを提供するための双方向サーバのアドレスに関する情報と当該双方向サービスのサービス時間に関する情報とを受信するステップと、
受信した前記双方向サービスを提供するための双方向サーバのアドレスに関する情報及び前記双方向サービスのサービス時間に関する情報の組から、前記双方向サービスのサービス時間に関する条件を満たす組を抽出する抽出ステップと、
前記抽出ステップにおいて抽出された組の少なくとも前記双方向サービスを提供するための双方向サーバのアドレスに関する情報を、前記データ放送のコンテンツと共に放送機器に送信するステップと、
をコンピュータに実行させる、放送局におけるコンピュータ用のプログラム。
【０１０２】
（付記２２）
データ放送に関連する双方向サービスを提供する１又は複数の双方向センタのコンピュータから、当該双方向サービスを提供するための双方向サーバのアドレスに関する情報と当該双方向サービスのサービス時間に関する情報とを受信するステップと、
受信した前記双方向サービスを提供するための双方向サーバのアドレスに関する情報及び前記双方向サービスのサービス時間に関する情報の組から、前記双方向サービスのサービス時間に関する条件を満たす組を抽出する抽出ステップと、
前記抽出ステップにおいて抽出された組の少なくとも前記双方向サービスを提供するための双方向サーバのアドレスに関する情報を、前記データ放送のコンテンツと共に放送機器に送信するステップと、
をコンピュータに実行させる、放送局におけるコンピュータ用のプログラムを格納した記録媒体。
【０１０３】
（付記２３）
データ放送に関連する双方向サービスを提供する１又は複数の双方向センタのコンピュータから、当該双方向サービスを提供するための双方向サーバのアドレスに関する情報と当該双方向サービスのサービス時間に関する情報とを受信する手段と、
受信した前記双方向サービスを提供するための双方向サーバのアドレスに関する情報及び前記双方向サービスのサービス時間に関する情報の組から、前記双方向サービスのサービス時間に関する条件を満たす組を抽出する抽出手段と、
前記抽出手段が抽出した組の少なくとも前記双方向サービスを提供するための双方向サーバのアドレスに関する情報を、前記データ放送のコンテンツと共に放送機器に送信する手段と、
を有する、放送局におけるコンピュータ・システム。
【０１０４】
（付記２４）
データ放送のコンテンツと共に、当該データ放送に関連する双方向サービスを提供するための双方向サーバのアドレスに関する情報を受信し、記憶装置に格納する受信ステップと、
ユーザからサーバへのアクセス要求を受け付けた場合、当該アクセス要求に係るサーバのアドレスが、前記記憶装置に格納された前記双方向サーバのアドレスに関する情報により特定される条件に合致するか判断する判断ステップと、
前記判断ステップにおいて条件を満たすと判断された場合に、前記データ放送に関連する双方向サービスが実施されていることを表す表示を表示装置に対して行うステップと、
をコンピュータに実行させる、データ放送受信機用のプログラム。
【０１０５】
（付記２５）
データ放送のコンテンツと共に、当該データ放送に関連する双方向サービスを提供するための双方向サーバのアドレスに関する情報を受信し、記憶装置に格納する受信ステップと、
ユーザからサーバへのアクセス要求を受け付けた場合、当該アクセス要求に係るサーバのアドレスが、前記記憶装置に格納された前記双方向サーバのアドレスに関する情報により特定される条件に合致するか判断する判断ステップと、
前記判断ステップにおいて条件を満たすと判断された場合に、前記データ放送に関連する双方向サービスが実施されていることを表す表示を表示装置に対して行うステップと、
をコンピュータに実行させる、データ放送受信機用のプログラム。
【０１０６】
（付記２６）
データ放送のコンテンツと共に、当該データ放送に関連する双方向サービスを提供するための双方向サーバのアドレスに関する情報を受信し、記憶装置に格納する受信手段と、
ユーザからサーバへのアクセス要求を受け付けた場合、当該アクセス要求に係るサーバのアドレスが、前記記憶装置に格納された前記双方向サーバのアドレスに関する情報により特定される条件に合致するか判断する判断手段と、
前記判断手段が条件を満たすと判断した場合に、前記データ放送に関連する双方向サービスが実施されていることを表す表示を表示装置に対して行う手段と、
を有するデータ放送受信機。
【０１０７】
（付記２７）
広告の内容及び識別情報を含むデータ放送のコンテンツ情報を受信するステップと、
前記データ放送のコンテンツ情報に含まれる前記広告のユーザによる選択に応じて、当該広告の識別情報を広告参照情報格納装置に格納するステップと、
前記データ放送に関連する双方向サービスのユーザによる選択に応じて、前記広告参照情報格納装置に前記広告の識別情報が含まれるか否かを判断する判断ステップと、
前記判断ステップにおいて前記広告参照情報格納装置に前記広告の識別情報が含まれると判断された場合、前記双方向サービスの提供のための双方向サーバへのアクセスを許可するステップと、
をコンピュータに実行させるためのデータ放送受信機用のプログラム。
【０１０８】
（付記２８）
広告の内容及び識別情報を含むデータ放送のコンテンツ情報を受信するステップと、
前記データ放送のコンテンツ情報に含まれる前記広告のユーザによる選択に応じて、当該広告の識別情報を広告参照情報格納装置に格納するステップと、
前記データ放送に関連する双方向サービスのユーザによる選択に応じて、前記広告参照情報格納装置に前記広告の識別情報が含まれるか否かを判断する判断ステップと、
前記判断ステップにおいて前記広告参照情報格納装置に前記広告の識別情報が含まれると判断された場合、前記双方向サービスの提供のための双方向サーバへのアクセスを許可するステップと、
をコンピュータに実行させるためのデータ放送受信機用のプログラムを格納した記録媒体。
【０１０９】
（付記２９）
広告の内容及び識別情報を含むデータ放送のコンテンツ情報を受信する手段と、
前記データ放送のコンテンツ情報に含まれる前記広告のユーザによる選択に応じて、当該広告の識別情報を広告参照情報格納装置に格納する手段と、
前記データ放送に関連する双方向サービスのユーザによる選択に応じて、前記広告参照情報格納装置に前記広告の識別情報が含まれるか否かを判断する判断手段と、
前記判断手段において前記広告参照情報格納装置に前記広告の識別情報が含まれると判断された場合、前記双方向サービスの提供のための双方向サーバへのアクセスを許可する手段と、
を有するデータ放送受信機。
【０１１０】
【発明の効果】
以上述べたように、ディジタルデータ放送に関連する正式な双方向サービスを視聴者に意識させるための技術を提供することができる。
【０１１１】
また、ディジタルデータ放送に関連する正式な双方向サービスに係る情報を強調して視聴者へ提供するための技術を提供することもできる。
【０１１２】
さらに、双方向センタを経由したインターネット接続を制限するための技術を提供することもできる。
【図面の簡単な説明】
【図１】  本発明の一実施の形態に係るシステムの概要を示す図である。
【図２】  認証サーバ通知処理部における処理フローを示す図である。
【図３】  番組編成情報テーブルの一例を示す図である。
【図４】  双方向アプリケーション一覧テーブルの一例を示す図である。
【図５】  （ａ）はチャンネル−１の認証双方向サーバ・テーブルの一例、（ｂ）はチャンネル−２の認証双方向サーバ・テーブルの一例、（ｃ）はチャンネル−３の認証双方向サーバ・テーブルの一例、（ｄ）はチャンネル−４の認証双方向サーバ・テーブルの一例である。
【図６】  認証サーバ放送処理部における処理フローを示す図である。
【図７】  認証双方向サーバ情報の一例を示す図である。
【図８】  ディジタル放送受信機Ａ（ダイヤルアップ接続の場合）の処理フローを示す図である。
【図９】  （ａ）はチャンネル−２のチャンネル別認証サーバ・テーブルの一例、（ｂ）はチャンネル−３のチャンネル別認証サーバ・テーブルの一例を示す図である。
【図１０】  認証双方向サーバにアクセスした場合の表示例である。
【図１１】  ディジタル放送受信機Ｂ（インターネット接続の場合）の処理フローを示す図である。
【図１２】  インターネット接続の場合に、非認証サーバにアクセスした場合の表示例である。
【図１３】  インターネット接続の場合に、時間外に認証双方向サーバにアクセスした場合の表示例である。
【図１４】  アクセス制限処理部の処理フローを示す図である。
【図１５】  ルータ／ファイアウォール・テーブルの一例を示す図である。
【図１６】  本実施の形態におけるアクセス許可態様を示す模式図である。
【図１７】  広告参照情報処理部の処理フローを示す図である。
【図１８】  広告参照通知部のみの処理フローを示す図である。
【符号の説明】
１  双方向センタ・システム    ２  インターネット
３  放送局システム    ４  非認証サーバ
５  ディジタル放送受信機Ａ    ６  ディジタル放送受信機Ｂ
７  認証双方向サーバＢ    ８  公衆回線網    ９  衛星
１１  双方向センタ処理サーバ    １２  認証双方向サーバＡ
１３  ルータＡ    １４  ルータＢ
１５  広告参照情報ＤＢ    １６  双方向番組編成情報ＤＢ
１７  認証双方向サーバ・テーブル
１８  認証サーバ通知処理部    １９  アクセス制限処理部
２０  広告参照情報処理部    ３１  認証サーバ放送処理部
３２  データ放送コンテンツ格納部
３３  認証双方向サーバＤＢ    ３４，５１，６１  アンテナ
５２，６２  データ放送コンテンツ格納部
５３，６３  双方向サーバＤＢ
５４，６４  認証表示処理部
５５，６５  広告参照通知部
【図１】
0004024014.tif 000002
【図２】
0004024014.tif 000003
【図３】
0004024014.tif 000004
【図４】
0004024014.tif 000005
【図５】
0004024014.tif 000006
【図６】
0004024014.tif 000007
【図７】
0004024014.tif 000008
【図８】
0004024014.tif 000009
【図９】
0004024014.tif 000010
【図１０】
0004024014.tif 000011
【図１１】
0004024014.tif 000012
【図１２】
0004024014.tif 000013
【図１３】
0004024014.tif 000014
【図１４】
0004024014.tif 000015
【図１５】
0004024014.tif 000016
【図１６】
0004024014.tif 000017
【図１７】
0004024014.tif 000018
【図１８】
0004024014.tif 000019